(57)【要約】【課題】  動画像の記録動作に影響を与えることなく静止画像を記録できるようにする。【解決手段】  イメージセンサ１１により撮像された画像データは、ADC１２によりA／D変換され、動画用LSI１３Ａと静止画用LSI１３に供給される。動画用LSI１３Ａは、入力された画像データを動画記録信号処理部１４に供給し、記録媒体５１に記録させる。静止画用LSI１６は、ADC１２により供給された画像データを、メモリ１８に一旦記録させる。静止画用LSI１６は、メモリ１８に記録されたデータに基づいて静止画用の画像データを生成し、再びメモリ１８に記録させる。静止画記録信号処理部１７は、メモリ１８に記録された静止画データを読み出し、記録媒体５２に供給し、記録させる。本発明はデジタルビデオカメラに適用することができる。【選択図】  図８
2006352630.tif 000002
【特許請求の範囲】
【請求項１】
被写体の動画像データを取得する取得手段と、
前記動画像データを低い解像度の動画像データに変換する変換手段と、
低い解像度の前記動画像データを記録する動画像記録手段と、
解像度が変換される前の前記動画像データであって、記録が指定されたフレームの動画像データを指定フレームデータとして記憶する記憶手段と、
前記変換手段による変換処理と並列に、記憶されている前記指定フレームデータから本画像の静止画データを生成する本画像生成手段と、
前記本画像の静止画データを記録する静止画記録手段と
を備える画像処理装置。
【請求項２】
前記本画像生成手段は、生成した前記本画像の静止画データをさらに前記記憶手段に記憶させ、
前記静止画記録手段は、前記記憶手段から読み出された前記本画像の静止画データを記録する
請求項１に記載の画像処理装置。
【請求項３】
前記本画像生成手段により生成された前記本画像の静止画データに対応するサムネイルデータを生成するサムネイル生成手段をさらに備え、
前記サムネイル生成手段は生成した前記サムネイルデータをさらに前記記憶手段に記憶させ、
前記静止画記録手段は、前記記憶手段から読み出された前記サムネイルデータをさらに記録する
請求項１に記載の画像処理装置。
【請求項４】
前記変換手段と前記本画像生成手段は、同一の機能を有するＬＳＩにより構成される
請求項１に記載の画像処理装置。
【請求項５】
２つの前記ＬＳＩの１つは他の１つに対してクロックと同期信号を供給する
請求項４に記載の画像処理装置。
【請求項６】
２つの前記ＬＳＩに共通のクロックと同期信号を供給する供給手段をさらに備える
請求項４に記載の画像処理装置。
【請求項７】
前記本画像生成手段を有する前記ＬＳＩへの電力の供給を、前記フレームの記録が指定されたとき十分な状態とし、記録が終了したときパワーセーブ状態となるように制御する制御手段をさらに備える
請求項４に記載の画像処理装置。
【請求項８】
被写体の動画像データを取得する取得ステップと、
前記動画像データを低い解像度の動画像データに変換する変換ステップと、
低い解像度の前記動画像データを記録する動画像記録ステップと、
解像度が変換される前の前記動画像データであって、記録が指定されたフレームの動画像データを指定フレームデータとして記憶する記憶ステップと、
前記変換ステップによる変換処理と並列に、記憶されている前記指定フレームデータから本画像の静止画データを生成する本画像生成ステップと、
前記本画像の静止画データを記録する静止画記録ステップと
を含む画像処理方法。
【請求項９】
被写体の動画像データを取得する取得ステップと、
前記動画像データを低い解像度の動画像データに変換する変換ステップと、
低い解像度の前記動画像データを記録する動画像記録ステップと、
解像度が変換される前の前記動画像データであって、記録が指定されたフレームの動画像データを指定フレームデータとして記憶する記憶ステップと、
前記変換ステップによる変換処理と並列に、記憶されている前記指定フレームデータから本画像の静止画データを生成する本画像生成ステップと、
前記本画像の静止画データを記録する静止画記録ステップと
を含むコンピュータが読み取り可能なプログラムが記録されている記録媒体。
【請求項１０】
被写体の動画像データを取得する取得ステップと、
前記動画像データを低い解像度の動画像データに変換する変換ステップと、
低い解像度の前記動画像データを記録する動画像記録ステップと、
解像度が変換される前の前記動画像データであって、記録が指定されたフレームの動画像データを指定フレームデータとして記憶する記憶ステップと、
前記変換ステップによる変換処理と並列に、記憶されている前記指定フレームデータから本画像の静止画データを生成する本画像生成ステップと、
前記本画像の静止画データを記録する静止画記録ステップと
をコンピュータに実行させるプログラム。
【発明の詳細な説明】
【技術分野】
【０００１】
本発明は、画像処理装置および方法、記録媒体、並びにプログラムに関し、特に、動画像の記録に影響を与えることなく静止画像を記録することができるようにした、画像処理装置および方法、記録媒体、並びにプログラムに関する。
【背景技術】
【０００２】
最近のデジタルビデオカメラは、動画像だけでなく静止画像を記録する機能も有している。動画像は、解像度が数十万程度の画素数があれば十分な画質となる。これに対して静止画像は、画素数が多い方がより高品位の画像を得ることができる。そこで、撮像素子の画素数を多くし、静止画を記録する場合には、撮像素子より出力された画像データをそのまま記録するようにし、動画像データを記録する場合には、それほど多くの画素数を必要としないため、撮像素子より出力された画像データの画素数を少ない数に変換したうえで記録することが提案されている（例えば、特許文献１）。
【特許文献１】特開２００２−４４５３１号公報
【発明の開示】
【発明が解決しようとする課題】
【０００３】
しかしながら特許文献１の発明においては、静止画像を記録する場合、撮像素子の駆動方法を切り替えるようにしているため、静止画像を記録するとき、動画像データが不連続になってしまう問題があった。
【０００４】
本発明はこのような状況に鑑みてなされたものであり、高画質の静止画像を、動画像に影響を与えることなく、記録することができるようにするものである。
【課題を解決するための手段】
【０００５】
本発明の側面は、被写体の動画像データを取得する取得手段またはステップと、動画像データを低い解像度の動画像データに変換する変換手段またはステップと、低い解像度の動画像データを記録する動画像記録手段またはステップと、解像度が変換される前の動画像データであって、記録が指定されたフレームの動画像データを指定フレームデータとして記憶する記憶手段またはステップと、変換手段による変換処理と並列に、記憶されている指定フレームデータから本画像の静止画データを生成する本画像生成手段またはステップと、本画像の静止画データを記録する静止画記録手段またはステップとを備える画像処理装置もしくは方法、またはプログラムである。
【０００６】
前記本画像生成手段は、生成した本画像の静止画データをさらに記憶手段に記憶させ、静止画記録手段は、記憶手段から読み出された本画像の静止画データを記録するようにすることができる。
【０００７】
前記本画像生成手段により生成された本画像の静止画データに対応するサムネイルデータを生成するサムネイル生成手段をさらに備え、サムネイル生成手段は生成したサムネイルデータをさらに記憶手段に記憶させ、静止画記録手段は、記憶手段から読み出されたサムネイルデータをさらに記録するようにすることができる。
【０００８】
前記変換手段と本画像生成手段は、同一の機能を有するＬＳＩにより構成されるようにすることができる。
【０００９】
２つのＬＳＩの１つは他の１つに対してクロックと同期信号を供給するようにすることができる。
【００１０】
２つのＬＳＩに共通のクロックと同期信号を供給する供給手段をさらに備えるようにすることができる。
【００１１】
前記本画像生成手段を有するＬＳＩへの電力の供給を、フレームの記録が指定されたとき十分な状態とし、記録が終了したときパワーセーブ状態となるように制御する制御手段をさらに備えるようにすることができる。
【００１２】
本発明の側面においては、動画像データが低い解像度の動画像データに変換され、記録される。また、解像度が変換される前の動画像データであって、記録が指定されたフレームの動画像データが指定フレームデータとして記憶され、変換処理と並列に、記憶されている指定フレームデータから本画像の静止画データが生成され、記録される。
【発明の効果】
【００１３】
本発明の側面によれば、動画像を静止画像とともに記録することができる。特に、動画像に影響を与えることなく、高画質の静止画像を記録することが可能となる。
【発明を実施するための最良の形態】
【００１４】
以下に本発明の最良の形態を説明するが、開示される発明と実施の形態との対応関係を例示すると、次のようになる。明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１５】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００１６】
本発明の側面は、被写体の動画像データを取得する取得手段（例えば、図１のADC１２）と、
前記動画像データを低い解像度の動画像データに変換する変換手段（例えば、図１の解像度変換処理部３３）と、
低い解像度の前記動画像データを記録する動画像記録手段（例えば、図１の動画記録信号処理部１４）と、
解像度が変換される前の前記動画像データであって、記録が指定されたフレームの動画像データを指定フレームデータとして記憶する記憶手段（例えば、図１のメモリ１８）と、
前記変換手段による変換処理と並列に、記憶されている前記指定フレームデータから本画像の静止画データを生成する本画像生成手段（例えば、図１の後段カメラ信号制御部４２、JPEGコーデック４６）と、
前記本画像の静止画データを記録する静止画記録手段（例えば、図１の静止画記録信号処理部１７）と
を備える画像処理装置（例えば、図１のデジタルビデオカメラ１）である。
【００１７】
前記本画像生成手段により生成された前記本画像の静止画データに対応するサムネイルデータを生成するサムネイル生成手段（例えば、図１の解像度変換処理部４３）をさらに備え、
前記サムネイル生成手段は生成した前記サムネイルデータをさらに前記記憶手段に記憶させ、
前記静止画記録手段は、前記記憶手段から読み出された前記サムネイルデータをさらに記録することができる。
【００１８】
前記変換手段と前記本画像生成手段は、同一の機能を有するＬＳＩ（例えば、図１の動画用ＬＳＩ１３と静止画用ＬＳＩ１６）により構成することができる。
【００１９】
２つの前記ＬＳＩに共通のクロックと同期信号を供給する供給手段（例えば、図１のクロック同期生成部１５）をさらに備えることができる。
【００２０】
前記本画像生成手段を有する前記ＬＳＩ（例えば、図１の静止画用ＬＳＩ１６）への電力の供給を、前記フレームの記録が指定されたとき十分な状態とし、記録が終了したときパワーセーブ状態となるように制御する制御手段（例えば、図１の電力供給部２１）をさらに備えることができる。
【００２１】
また本発明の側面は、被写体の動画像データを取得する取得ステップ（例えば、図２のステップＳ２）と、
前記動画像データを低い解像度の動画像データに変換する変換ステップ（例えば、図２のステップＳ５）と、
低い解像度の前記動画像データを記録する動画像記録ステップ（例えば、図２のステップＳ７）と
解像度が変換される前の前記動画像データであって、記録が指定されたフレームの動画像データを指定フレームデータとして記憶する記憶ステップ（例えば、図３のステップＳ３４）と、
前記変換ステップによる変換処理と並列に、記憶されている前記指定フレームデータから本画像の静止画データを生成する本画像生成ステップ（例えば、図３のステップＳ３７、図４のステップＳ７４）と、
前記本画像の静止画データを記録する静止画記録ステップ（例えば、図３のステップＳ４３）と
を含む画像処理方法である。
【００２２】
図１は、本発明を適用したデジタルビデオカメラのブロック図を表している。このデジタルビデオカメラ１は、イメージセンサ１１、アナログデジタルコンバータ（ADC）１２、動画用LSI１３、動画記録信号処理部１４、クロック同期生成部１５、静止画用LSI１６、静止画記録信号処理部１７、メモリ１８、再生部１９、表示部２０、電力供給部２１、入力部２２、並びに制御部２３により構成されている。
【００２３】
イメージセンサ１１は、例えば、CMOS（Complementary Metal-Oxside Semiconductor）や、CCD（Charge-Coupled Devices）などの固体想像素子により構成される。イメージセンサ１１は、被写体の画像を撮像し、対応する画像データをADC１２に記録する。ADC１２は、イメージセンサ１１から入力されたアナログの画像信号をデジタルの画像信号に変換する。
【００２４】
動画用LSI（Large Scale Integration）１３は、前段カメラ信号処理部３１、後段カメラ信号処理部３２、解像度変換処理部３３、データ圧縮伸張部３４、メモリインターフェース部３５、並びにJPEGコーデック部３６により構成されている。
【００２５】
前段カメラ信号処理部３１は、主にレンズやイメージセンサ１１などに起因した劣化に対しての補正処理を行う。後段カメラ信号処理部３２は、前段カメラ信号処理部３１より供給された画像データに対して、ホワイトバランスやガンマ補正などの処理を行う。そして後段カメラ信号処理部３２は、輝度データY、色差データCr，Cbを生成し、解像度変換処理部３３に出力する。
【００２６】
解像度変換処理部３３は、後段カメラ信号処理部３２より入力された輝度データY、色差データCr，Cbの画素数を動画像信号に適した、より少ない数に変換し、ベースバンド信号として動画記録信号処理部１４に出力する。
【００２７】
データ圧縮伸張部３４は、前段カメラ信号処理部３１より入力された画像データをガンマ圧縮とDPCM（Differential Pulse Code Modulation）を利用して圧縮し、メモリインターフェース部３５に出力する。データ圧縮伸張部３４はまた、メモリインターフェース部３５より供給された画像データを伸張し、前段カメラ信号処理部３１に出力する。データ圧縮伸張部３４は、メモリ１８のバスの帯域内に収まるようにデータ量を減縮するものであり、メモリ１８に対するバスの帯域を充分確保することができる場合には、データ圧縮伸張部３４は省略することが可能である。
【００２８】
メモリインターフェース部３５は、メモリ１８に対するインターフェース処理を実行する。すなわち、画像解像度変換処理部３３、データ圧縮伸張部３４、またはコーデック部３６より入力されたデータを、メモリ１８に供給し、記憶させるか、あるいはまた、メモリ１８より読み出されたデータを解像度変換処理部３３、データ圧縮伸張部３４、またはコーデック部３６に供給する。
【００２９】
JPEGコーデック部３６は、メモリインターフェース部３５を介して、メモリ１８より供給された画像データをJPEG（Joint Photographic Expert Group）方式でコーディングし、メモリインターフェース部３５に出力する。
【００３０】
動画記録信号処理部１４は、解像度変換処理部３３より供給された画像データを、記録媒体５１に記録するのに適した方式に変調するなどの処理を行い、記録媒体５１に供給し、記録する。記録媒体５１は、例えば、DVD（Digital Versatile Disk）あるいは磁気テープなどにより構成され、必要に応じてデジタルビデオカメラ１１に装着される。
【００３１】
クロック同期生成部１５は、クロックと同期信号生成し、それぞれ動画用LSI１３と静止画用LSI１６に供給する。動画用LSI１３と静止画LSI１６は、クロック同期生成部１５より供給されたクロックと同期信号に同期して動作する。
【００３２】
静止画用LSI１６は、前段カメラ信号処理部４１、後段カメラ信号処理部４２、解像度変換処理部４３、データ圧縮伸張部４４、メモリインターフェース部４５、並びにJPEGコーデック部４６により構成されている。これらの前段カメラ信号処理４１乃至JPEGコーデック部４６は、動画用LSI１３の前段カメラ信号処理部３１乃至JPEGコーデック部３６と同様の機能を有している。すなわち、この実施の形態の場合、動画用LSI１３と静止画用LSI１６は、実質的に同一の機能を有するLSIにより構成されている。
【００３３】
各部はその有している機能をすべて実行するわけではなく、必要な機能のみを実行する。例えば解像度変換処理部４３は、メモリインターフェース部４５を介してメモリ１８から供給された動画像データから静止画データを生成する。同様の機能を解像度変換処理部３３も有しているが、解像度変換処理部３３は、動画用の信号の記録に必要な処理のみを実行する。
【００３４】
静止画記録信号処理部１７は、メモリ１８より読み出された静止画データ（本画像のJPEGデータとサムネイルのJPEGデータ）を、記録媒体５２に記録するのに適した変調処理などを行い、記録媒体５２に供給し、記録させる。記録媒体５２は、例えば、メモリスティック（商標）などの固体メモリにより構成され、必要に応じてデジタルビデオカメラ１１に装着される。もちろん記録媒体５２は、記録媒体５１と同一の記録媒体として構成することも可能である。
【００３５】
メモリ１８は、例えばSDRAM（Synchronous Dynamic Random Access Memory）により構成される。メモリ１８は、メモリインターフェース部３５またはメモリインターフェース部４５より供給されたデータを一時的に記憶するとともに、そこに記憶されたデータを読み出し、メモリインターフェース部３５またはメモリインターフェース部４５に供給する。あるいはまた、メモリ１８より読み出されたデータは、静止画記録信号処理部１７に供給される。
【００３６】
再生部１９は、記録媒体５１または記録媒体５２に記録されている画像データを読み出し、表示部２０に出力し、表示させる。表示部２０はLCD（Liquid Crystal Display）やCRT（Cathode Ray Tube）等により構成される。
【００３７】
電力供給部２１は、各部に必要な電力を供給する。入力部２２は、各種のボタンやスイッチなどにより構成され、ユーザにより操作されたとき、その操作に対応する信号を制御部２３に出力する。制御部２３は、例えば、CPU（Central Processing Unit）などにより構成され、各部を制御する。
【００３８】
リムーバブルメディア６１は、必要に応じてデジタルビデオカメラ１に装着され、制御部２３に必要なデータやプログラムなどを提供する。
【００３９】
次に、デジタルビデオカメラ１の動作について説明する。ユーザは、デジタルビデオカメラ１を使用するとき、入力部２２を操作し、まず電源をオンする。電力供給部２１は、電源のオンが指令されたとき、各部に必要な電力を供給する。
【００４０】
そしてユーザは、動画像データの記録を開始するとき、入力部２２を操作し、その記録を指令する。制御部２３は、入力部２２を介してユーザより動画像の記録が指令されたとき、図２のフローチャートに示される処理を各部に実行させる。
【００４１】
ステップＳ１において、イメージセンサ１１は、被写体の画像を撮像する。ステップＳ２において、ADC１２は、イメージセンサ１１より供給された被写体の画像データをA／D変換する。ステップＳ３において前段カメラ信号処理部３１は、前信号処理する。即ち、イメージセンサ１１の前方に配置されているレンズ（図示せず）やイメージセンサ１１の特性に起因した劣化に対しての補正処理を行う。
【００４２】
ステップＳ４において、後段カメラ信号処理部３２は、前段カメラ信号処理部３１より供給された画像データに対して、Y／Cr／Cbデータに変換する処理を実行する。すなわち、後段カメラ信号処理部３２は、前段カメラ信号処理部３１より供給された画像データに対して、ホワイトバランスとガンマ補正を行い、輝度データY、色差データCr，Cbを生成し、解像度変換処理部３３に出力する。ステップＳ５において解像変換処理部３３は解像度変換処理する。すなわちイメージセンサ１１は、高解像度の画素数を有し、そのまま記録媒体５１に記録したのでは、動画像データとしては過剰な品質のデータとなる。そこで解像度変換処理部３３は、動画像データとして必要十分な少ない画素数に変換する（低い解像度に変換する）処理を実行する。
【００４３】
ステップＳ６において、動画記録信号処理部１４は、動画記録処理する。すなわち、動画記録信号処理部１４は、解像度変換処理部３３より供給されたY／Cr／Cbデータを動画像記録処理する。すなわち、所定の方式で変調が行われる。ステップＳ７において、動画記録信号処理部１４は、記録媒体に記録する処理を実行する。すなわち動画記録信号処理部１４は、変調処理したデータを記録媒体５１に供給し、記録させる。
【００４４】
次にステップＳ８において、制御部２３は、ユーザより終了が指示されたかを判定し、まだ終了が指示されていない場合には、処理はステップＳ１戻り、それ以降の処理が繰り返し実行される。ステップ８において終了が指示されたと判定された場合、記録処理は終了される。
【００４５】
以上のようにして、記録動作を実行している最中に、静止画を記録したいと思うタイミングにおいて、ユーザは入力部２２を操作して静止画の記録を指示する（記録するフレームを指示する）。このとき制御部２３は、各部を制御し、図３のフローチャートに示される静止画像記録処理を実行させる。
【００４６】
ステップＳ３１において、制御部２３は、パワーセーブモードを解除する。すなわち電力供給部２１は、デジタルビデオカメラ１がオンされたとき各部に必要な電力を供給するが、静止画用LSI１６に対してはパワーセーブモードを設定し、最低限の電力のみを供給する。これにより、無駄に電力が消費されることが抑制される。いま、ユーザにより静止画の記録が指示されたので、電力供給部２１は、静止画用LSI１６に必要十分な電力を供給させる。
【００４７】
ステップＳ３２において、前段カメラ信号処理部３１は前信号処理する。すなわち前段カメラ信号処理部３１は、ADC１２より入力された動画像データのうちの指定されたフレームの画像データを、レンズやイメージセンサ１１による歪に対する補正などの処理を行う。ステップＳ３３において、データ圧縮伸張部３４は、ロー動画像データのうちのユーザにより指定されたフレームの画像データを圧縮する。すなわち画像データは、データ圧縮伸張部３４により、例えばガンマ圧縮とDPCMを利用して圧縮される。これにより、メモリ１８とメモリインターフェース部３５との間の帯域幅が狭い場合においても、データを迅速に授受することが可能となる。
【００４８】
ステップＳ３４において、メモリインターフェース部３５は、データ圧縮伸張部３４により圧縮された画像データをメモリに書き込む。これにより、動画像のうちの、ユーザにより指定されたフレームの画像データが、解像度変換されることなく、そのままメモリ１８に指定フレームデータとして書き込まれる。メモリ１８に画像データが書き込まれた後は、メモリ１８へのアクセス権は動画用LSI１３から静止画用LSI１６に渡される。
【００４９】
ステップＳ３５において、メモリインターフェース部４５は、メモリ１８から指定フレームデータ（RAWデータ）を読み出す。読み出された指定フレームデータは、データ圧縮伸張部４４に供給される。ステップＳ３６において、データ圧縮伸張部４４は、メモリインターフェース部４５を介してメモリ１８から読み出された指定フレームデータを伸張する。すなわち、データ圧縮伸張部３４における圧縮処理と相補的な処理を行うことでデータが伸張される。伸張された指定フレームデータは、前段カメラ信号処理部４１を介して後段カメラ信号処理部３２に供給される。
【００５０】
ステップＳ３７において、後段カメラ信号処理部４２は、前段カメラ信号処理部４１より供給された指定フレームデータを、ホワイトバランスやガンマ補正などを施した後、Y／Cr／Cbデータに変換する。このY／Cr／Cbデータは、解像度変換処理部４３に供給される。
【００５１】
ステップＳ３８において、解像度変換処理部４３は後段カメラ信号処理部４２より供給されたデータを画角変換する。すなわち、手ぶれ補正時の画角の違いを吸収するための切り出しなどの画角変換処理が行われる。低い解像度への変換処理は行われない。ステップＳ３９において、メモリインターフェース部４５は、解像度変換処理部４３より供給されたデータをメモリ１８に書き込む。このようにしてメモリ１８には、指定フレームのY／Cr／Cbデータが静止画撮影の画角にあわせて書き込まれる。
【００５２】
次にステップＳ４０において、JPEGデータ生成処理が実行される。その詳細は、図４のフローチャートを参照して後述するが、これにより、メモリ１８に記録されている指定フレームのY／Cr／Cbデータから本画像の（サムネイル画像ではない）JPEGデータ（静止画データ）が生成され、再びメモリ１８に記憶される。
【００５３】
ステップＳ４１において、サムネイルデータ生成処理が実行される。その処理の詳細は、図５のフローチャートを参照して後述するが、これにより、ステップＳ３９の処理でメモリ１８に書き込まれた指定フレームのデータが、メモリインターフェース部４５により読み出され、解像度変換処理部４３によりサムネイルデータが生成される。そして、その生成されたサムネイルデータのJPEGデータ（サムネイル用JPEGデータ）がJPEGコーデック部４６により生成され、メモリ１８に再び書き込まれる。
【００５４】
ステップＳ４０の処理で生成された本画像のJPEGデータと、ステップＳ４１の処理で生成されたサムネイルのJPEGデータが、ステップＳ４２で静止画記録信号処理部１７によりメモリ１８から読み出され、ステップＳ４３で記録媒体５２に書き込まれる。
【００５５】
次に、ステップＳ４４において、制御部２３は静止画用LSI１６のモードをパワーセーブモードにする。これにより、非動作状態にある静止画用LSI１６により無駄に電力が消費されることが抑制される。
【００５６】
以上のようにして、記録媒体５２には、記録媒体５１に記録されている動画像データのうちの指定されたフレームの静止画像のデータ（本画像とサムネイルのJPEGデータ）が記録される。この静止画記録処理は動画像の記録処理と並列に（同時に）行われるので、動画像の記録が不連続になったり、画質が劣化したりすることが防止される。
【００５７】
次に図４のフローチャートを参照して、図３のステップＳ４０におけるJPEGデータ生成処理の詳細について説明する。
【００５８】
ステップＳ７１において、メモリインターフェース部４５は、メモリ１８にステップＳ３９の処理で書き込まれた指定フレームのY／Cr／Cbデータを読み出す。読み出されたデータはJPEGコーデック部４６に供給される。ステップＳ７２において、JPEGコーデック部４６は、符号量を見積もる。すなわち、JPEGコーデック部４６は、メモリインターフェース部４５介してメモリ１８から供給されたデータに基づいて、JPEGデータを生成する場合における符号量を見積もる処理を実行する。ステップＳ７３において、メモリインターフェース部４５は、メモリ１８から再び指定フレームのY／Cr／Cbデータを読み出す。ステップＳ７４において、JPEGコーデック部４６は、JPEGデータを生成する。すなわち、ステップＳ７２において見積もられた符号量を参照して、JPEGコーデック部４６は本画像のJPEGデータを生成する。
【００５９】
次にステップＳ７５において、メモリインターフェース部４５は、ステップＳ７４の処理で生成された本画像のJPEGデータをメモリ１８に書きこむ処理を実行する。
【００６０】
次に、図５のフローチャートを参照して、図３のステップＳ４１におけるサムネイルデータ生成処理の詳細ついて説明する。
【００６１】
ステップＳ９１において、メモリインターフェース部４５は、メモリ１８に記憶されている指定フレームのY／Cr／Cbデータを読み出す。読み出されたデータは、解像度変換処理部４３に供給される。ステップＳ９２において、解像度変換処理部４３は、メモリインターフェース部４５を介して供給された指定フレームのY／Cr／Cbデータから、解像度変換によりサムネイル用Y／Cr／Cbデータを生成する。すなわち、本画像のフレームを縮小したサイズの画像のデータがここで生成される。
【００６２】
次にステップＳ９３において、メモリインターフェース部４５は、ステップＳ９２の処理で生成されたサムネイルデータを、メモリ１８に書き込む処理を実行する。ただしこのサムネイル用Y／Cr／Cbデータは、まだJPEGデータではない。
【００６３】
そこで次に、ステップＳ９４においてJPEGデータ生成処理が実行される。このJPEGデータ生成処理は、上述した図４のフローチャートに示される場合と同様の処理である。
【００６４】
すなわちメモリ１８に書き込まれた指定フレームのサムネイルデータが、メモリインターフェース部４５により読み出され、JPEGコーデック部４６に供給され、JPEGデータが生成される。そして、このサムネイルデータのJPEGデータが、メモリインターフェース部４５を介してメモリ１８に供給され、記憶される。
【００６５】
図６は、動画用LSI１３と静止画用LSI１６の動作状態を表している。図６Ａに示されるように、制御部２３により制御され、動画用LSI１３は、常に動作状態とされている。これに対して、図６Ｂに示されるように、制御部２３により制御され、静止画用LSI１６は、時刻t１乃至t２、あるいは、時刻t１１乃至t１２として示される静止画像生成の期間においては、完全な動作状態とされるが、それ以外の期間においては、パワーセーブモードが設定される。これにより、静止画用LSI１６が実質的に動作していないときに無駄に電力が消費されることが抑制される。
【００６６】
次に、再生時の動作ついて説明する。ユーザが、入力部２２を操作して再生を指令すると、制御部２３はその指示に基づいて、記録媒体５１または記録媒体５２の再生を再生部１９に指示する。再生部１９はこの指示に基づいて、記録媒体５１に記録されているデータを再生し、表示部２０に出力し、表示させる。これにより、動画像が表示部２０に表示されることになる。また、記録媒体５２が再生された場合には、表示部２０には静止画像が表示されることになる。
【００６７】
図１の実施形態においては、クロック同期生成部１５を動画用LSI１３と静止画用LSI１６の外部に配置するようにしたが、内部に配置することも可能である。図７の実施形態は、この場合の実施形態を表している。すなわち図７の実施形態においては、動画用LSI１３Aが、前段カメラ信号処理部３１，後段カメラ信号処理部３２、解像度変換処理部３３、データ圧縮伸張部３４、メモリインターフェース部３５、JPEGコーデック部３６を備えるとともに、さらにクロック同期生成部１０１を備えている。
【００６８】
また同様に、静止画用LSI１６Ａも、動画用LSI１３Ａと基本的に同様の構成とされ、前段カメラ信号処理部４１、後段カメラ信号処理部４２、解像度変換処理部４３、データ圧縮伸張部４４、メモリインターフェース部４５、JPEGコーデック部４６、並びにクロック同期生成部１１１により構成されている。
【００６９】
そして、この実施形態の場合、動画用LSI１３Aのクロック同期生成部１０１により生成されたクロックと同期信号が、静止画用LSI１６Ａに供給され、静止画用LSI１６Ａは、このクロックと同期信号に同期して動作する。動画用LSI１３Ａは、クロック同期生成部１０１により生成されたクロックと同期信号に同期して動作することはもとよりである。これにより、静止画用LSI１６Ａが、動画用LSI１３Ａに同期して動作することになる。
【００７０】
なお、この実施形態の場合、静止画用LSI１６Ａのクロック同期生成部１１１は、実質的には使用されないことになる。
【００７１】
図７の実施形態におけるその他の構成と作用、動作は、図１の実施形態における場合と同様であるので、その説明は繰り返しになるので省略する。
【００７２】
図８は、さらに他の実施形態を表している。この実施形態においては、動画用LSI１３Aと静止画用LSI１６が組み合わされており、動画用LSI１３Aのクロック同期生成部１０１が出力する同期信号とクロックが、静止画用LSI１６に供給されている。静止画用LSI１６は、動画用LSI１３Aから供給されるクロックと同期信号に同期して動作する。動画用LSI１３Ａが、クロック同期生成部１０１が生成するクロックと同期信号が同期して動作することはもとよりである。これにより、この実施形態の場合においても、動画用LSI１３Aと静止画用LSI１６が同期して動作する。
【００７３】
さらに、この実施形態の場合、静止画用LSI１６に、ADC１２が出力したデータが直接供給されている。静止画用LSI１６では、ADC１２から出力されたデータが、前段カメラ信号処理部４１、データ伸張部４４、メモリインターフェース部４５を介してメモリ１８に供給され、記憶される。その他の処理は、上述した場合と同様となる。
【００７４】
図１と図７の実施形態の場合、静止画像記録用のデータが、メモリ１８を介して動画用LSI１３（１３Ａ）、と静止画用LSI１６（１６Ａ）との間で授受されるため、画像データ転送用のバスが不要となり、LSI間の配線のパターンの数を削減し、設計が容易となり、基板面積の削減が可能となる。
【００７５】
また図７の実施形態は、図１の実施形態に比べてクロック同期生成部１５が動画用LSI１３Ａに内蔵されているため、より構成を簡略化することが可能となる。
【００７６】
図８の実施形態の場合、動画用LSI１３Ａと静止画用LSI１６が異なる構成となるため、それぞれ専用のLSIとすることが可能となる。
【００７７】
上述した一連の処理は、ハードウエアにより実行させることもできるし、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【００７８】
この記録媒体は、図１、図７、または図８に示されるように、装置本体とは別に、ユーザにプログラムを提供するために配布される、プログラムが記録されている磁気ディスク（フロッピディスクを含む）、光ディスク（CD-ROM(Compact Disk-Read Only Memory),DVD(Digital Versatile Disk)を含む）、光磁気ディスク（ＭＤ（Mini-Disk）を含む）、もしくは半導体メモリなどよりなるリムーバブルメディア６１により構成されるだけでなく、装置本体に予め組み込まれた状態でユーザに提供される、プログラムが記録されているROMやハードディスクなどで構成される。
【００７９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００８０】
また、本明細書において、システムとは、複数の装置（または特定の機能を実現する機能モジュール）が論理的に集合した物を意味し、各装置や機能モジュールが単一の筐体内にあるか否かは問わない。
【００８１】
なお、本発明の実施の形態は、上述した実施の形態に限定されるものではなく、本発明の要旨を逸脱しない範囲において種々の変更が可能である。
【図面の簡単な説明】
【００８２】
【図１】本発明を適用したデジタルビデオカメラの構成を示すブロック図である。
【図２】動画像記録処理を説明するフローチャートである。
【図３】静止画像記録処理を説明するフローチャートである。
【図４】図３のステップＳ４０のJPEGデータ生成処理の詳細を説明するフローチャートである。
【図５】図３のステップＳ４１のサムネイルデータ生成処理の詳細を説明するフローチャートである。
【図６】動画用LSIと静止画用LSIの動作を説明するタイミングチャートである。
【図７】本発明を適用したデジタルビデオカメラの他の実施形態の構成を示すブロック図である。
【図８】本発明を適用したデジタルビデオカメラのさらに他の実施形態の構成を示すブロック図である。
【符号の説明】
【００８３】
１  デジタルビデオカメラ，  １１  イメージセンサ，  １２  A／Dコンバータ，  １３  動画用LSI，  １６  静止画用LSI，  １８  メモリ，  ２１  電力供給部
【図１】
2006352630.tif 000003
【図２】
2006352630.tif 000004
【図３】
2006352630.tif 000005
【図４】
2006352630.tif 000006
【図５】
2006352630.tif 000007
【図６】
2006352630.tif 000008
【図７】
2006352630.tif 000009
【図８】
2006352630.tif 000010